(57)【特許請求の範囲】
【請求項１】
薄板状のディスプレイ装置と音声を出力するスピーカーとを有するテレビジョン装置であって、
前記ディスプレイ装置を支持するスタンドと、
前記スタンドに設けられ前記ディスプレイ装置の姿勢を変更可能に保持する姿勢変更機構と、
前記ディスプレイ装置に該ディスプレイ装置に対する相対位置が不変となるように連結され前記ディスプレイ装置の姿勢を変更する把手とを備え、
前記スピーカーは前記把手に取着されている、
ことを特徴とするテレビジョン装置。
【請求項２】
前記ディスプレイ装置の前方から見た状態で、前記把手は前記ディスプレイ装置の輪郭の外側に位置した把手部分を有し、前記スピーカーは前記ディスプレイ装置の輪郭の外側に位置した把手部分に取着されていることを特徴とする請求項１記載のテレビジョン装置。
【請求項３】
前記姿勢変更機構は、前記ディスプレイ装置を上下方向へ揺動可能に保持する上下揺動部を含んで構成されていることを特徴とする請求項１記載のテレビジョン装置。
【請求項４】
前記姿勢変更機構は、前記ディスプレイ装置を水平方向に旋回可能に保持する水平旋回部を含んで構成されていることを特徴とする請求項１記載のテレビジョン装置。
【請求項５】
前記姿勢変更機構は、前記ディスプレイ装置を前後、左右、上下方向へ移動可能に保持する前後左右上下移動部を含んで構成されていることを特徴とする請求項１記載のテレビジョン装置。
【請求項６】
前記姿勢変更機構は、前記ディスプレイ装置を上下方向へ揺動可能に保持する上下揺動部を含んで構成され、前記上下揺動部は、前記ディスプレイ装置の背面に取着される第１の部材と、前記スタンドの先端に取着され前記第１の部材に上下に揺動可能に連結される第２の部材とを含んで構成され、前記把手は前記第１の部材に取着され、前記把手と前記ディスプレイ装置は前記第１の部材を介して連結されていることを特徴とする請求項１記載のテレビジョン装置。
【請求項７】
前記ディスプレイ装置は、ディスプレイパネルと、このディスプレイパネルを保持する薄板状のフレームを含んで構成され、前記把手は前記フレームに取着されていることを特徴とする請求項１記載のテレビジョン装置。
【請求項８】
前記ディスプレイ装置はディスプレイパネルを含んで構成され、前記ディスプレイ装置の前方から前記ディスプレイパネルを見た状態で、前記把手は前記ディスプレイパネルの左右幅方向の中央に位置していることを特徴とする請求項１記載のテレビジョン装置。
【請求項９】
前記ディスプレイ装置はディスプレイパネルを含んで構成され、前記ディスプレイ装置の前方から前記ディスプレイパネルを見た状態で、前記把手は前記ディスプレイパネルの左右幅方向の中央で前記ディスプレイパネルの上縁から上方に突出して設けられていることを特徴とする請求項１記載のテレビジョン装置。
【請求項１０】
前記ディスプレイ装置はディスプレイパネルを含んで構成され、前記ディスプレイ装置の前方から前記ディスプレイパネルを見た状態で、前記把手は前記ディスプレイパネルの左右幅方向の中央で前記ディスプレイパネルの下縁から下方に突出して設けられていることを特徴とする請求項１記載のテレビジョン装置。
【発明の詳細な説明】
【技術分野】
【０００１】
本発明はテレビジョン装置に関する。
【背景技術】
【０００２】
近年、液晶ディスプレイ、プラズマディスプレイ、あるいは、有機エレクトロルミネッセンス（有機ＥＬ）ディスプレイなどの薄板状を呈するディスプレイパネルと、音響を出力するスピーカーと、ディスプレイおよびスピーカーを収容する筐体とを備えるテレビジョン装置が提供されている。
このようなテレビジョン装置では、多くの場合、ディスプレイパネルの左右両側の筐体部分に、あるいは、下側の筐体部分にスピーカーが組み込まれている（特許文献１参照）。
【特許文献１】特開２００５−１６５３５０号公報
【発明の開示】
【発明が解決しようとする課題】
【０００３】
このような従来のテレビジョン装置は、ディスプレイパネルの左右両側や下側にスピーカーが配置される構造上、筐体の小型化、薄型化に限界があるだけでなく、テレビジョン装置のデザインが制約を受けデザインの自由度を確保する上でも不利があった。
また、本出願人は、ディスプレイ装置があたかも宙に浮いているかのような浮遊感をユーザーに与えることが可能な斬新なデザインのテレビジョン装置のスタンドを提供しているが、従来のようにスピーカーをディスプレイパネルの左右両側や下側に配置するのでは、ディスプレイパネルの周囲の筐体部分が大型化し、言い換えると、画像が表示されない筐体部分が大きな面積を取り、浮遊感をユーザーに与える上で不利がある。
本発明は、このような事情に鑑みなされたもので、その目的は、ディスプレイ装置の小型化、薄型化を図るとともに、デザインの自由度を確保でき、美観を向上する上で有利なテレビジョン装置を提供することにある。
【課題を解決するための手段】
【０００４】
上記目的を達成するために、本発明は、薄板状のディスプレイ装置と音声を出力するスピーカーとを有するテレビジョン装置であって、前記ディスプレイ装置を支持するスタンドと、前記スタンドに設けられ前記ディスプレイ装置の姿勢を変更可能に保持する姿勢変更機構と、前記ディスプレイ装置に該ディスプレイ装置に対する相対位置が不変となるように連結され前記ディスプレイ装置の姿勢を変更する把手とを備え、前記スピーカーは前記把手に取着されていることを特徴とする。
【発明の効果】
【０００５】
本発明によれば、スピーカーは、ディスプレイ装置の姿勢を変更するための把手に設けられている。
一方、把手はディスプレイ装置の姿勢を変更した際に、ディスプレイ装置とともに移動し、ディスプレイ装置に対する把手の相対的位置は不変である。
したがって、ディスプレイ装置の姿勢が変更された際、スピーカーから発せられる音響を常にディスプレイ装置の前方に向けることが可能となり、テレビジョン装置を鑑賞する上で有利となる。
また、把手にスピーカーを設けたので、ディスプレイパネルの前方から見て画像が表示されないフレーム部分の面積を小さくでき、したがって、スタンドによって姿勢変更可能に支持されたディスプレイ装置があたかも宙に浮いているかのような浮遊感をユーザーに与えることができ、デザイン性を向上させる上で有利となる。
また、把手にスピーカーを設けたので、ユーザーに対して、スピーカーの存在を感じさせることがなく、したがって、浮遊感をユーザーに与え、デザイン性を向上させる上でより一層有利となる。
【発明を実施するための最良の形態】
【０００６】
（第１の実施の形態）
以下、本発明によるテレビジョン装置１０の実施の形態を図面に基づいて詳細に説明する。
図１は第１の実施の形態のテレビジョン装置１０の全体構成を示す斜視図である。
図２（Ａ）はテレビジョン装置１０の側面図、（Ｂ）はテレビジョン装置１０の背面図であり、何れもカバー２２５６を取り外した状態を示している。
図１、図２（Ａ）、（Ｂ）に示すように、テレビジョン装置１０は、ディスプレイ装置１２と、スピーカー５０と、ディスプレイ装置１２を支持するスタンド２０と、ディスプレイ装置１２の姿勢を変更可能に保持する姿勢変更機構と、ディスプレイ装置１２の姿勢を変更するための把手５２とを備えている。
本実施の形態では、姿勢変更機構は、水平旋回部１００と、第１の上下揺動部２００と、第２の上下揺動部３００と、第３の上下揺動部４００と、前後左右上下移動部５００とを含んで構成されている。
【０００７】
まず、ディスプレイ装置１２から説明する。
図１６に示すように、ディスプレイ装置１２は、ディスプレイパネル１２０２と、このディスプレイパネル１２０２を保持する薄板状のフレーム１２０４を含んで構成されている。
本実施の形態では、ディスプレイパネル１２０２は有機ＥＬディスプレイを用いて構成されている。なお、ディスプレイパネル１２０２はプラズマディスプレイや液晶ディスプレイなどを用いて構成されたものであってもよい。
図２（Ｂ）において、符号１２１０はヒンジ部カバーである。
【０００８】
次に、スタンド２０について説明する。
スタンド２０は、基台２２と、第１アーム２４と、第２アーム２６と、ワイヤ２８と、錘３０と、ばね３２とを含んで構成されている。
第１アーム２４は基台２２から上方に突設され、第２のアーム２６は第１アーム２４の先端に結合され、第２アーム２６の先端でディスプレイ装置１２が支持されている。
より詳細には、基台２２に水平旋回部１００が設けられ、第１アーム２４の基部と基台２２とが第１の上下揺動部２００で連結され、第２アーム２６の基部寄りの箇所と第１アーム２４の先端とが第２の上下揺動部３００で連結され、ディスプレイ装置１２の背面と第２アーム２６の先端とが第３の上下揺動部４００で連結されている。
【０００９】
基台２２は、机や棚や床などに載置される下部２２０２と、下部２２０２の上に設けられた上部２２５２とを備え、水平旋回部１００は、それら下部２２０２と上部２２５２との間に設けられている。
水平旋回部１００は、下部２２０２に対して上部２２５２を水平旋回可能に保持するもので、例えば、上部２２５２の下面を旋回可能に支持する下部２２０２の上壁２２６０と、上部２２５２の下面から下方に突設され下部２２０２の上壁２２６０の孔に挿通される軸２２６２と、軸２２６２の先端に取着され上壁２２６０の内面に接触して軸２２６２の抜けを阻止するリング２２６４などを含んで構成されている。なお、水平旋回部１００は上述の構成に限定されず、従来公知の様々な構造が採用可能である。
下部２２０２は、フレーム２２６６と、このフレーム２２６６を覆うカバー２２０４とを含んで構成され、前記の上壁２２６０はこのフレーム２２６６に設けられている。
上部２２５２は、フレーム２２５４（図２（Ａ）参照）と、フレーム２２５４を覆うカバー２２５６（図１参照）とを含んで構成され、前記の軸２２６２はこのフレーム２２５４から突設されている。
【００１０】
上部２２５２には信号ボックス７０が設けられている。
信号ボックス７０は、放送局から受信した電波、あるいは、外部装置から供給される映像信号およびオーディオ信号に基づいて、テレビジョン装置１０のディスプレイパネル１２０２に画像を表示させるとともに、スピーカー５０から音響を出力させるものである。
信号ボックス７０は、図２（Ａ）に示すように、フレーム２２５４に設けられカバー２２５６の内側に収容されている。
図１７は信号ボックス７０の構成を示すブロック図である。
信号ボックス７０は、受信回路７００２、切り換え回路７００４、画像信号処理回路７００６、音声信号処理回路７００８、リモコン受信回路７０１０、制御回路７０１２などを含んで構成され、信号ボックス７０は、信号ボックス７０とは別に設けられた操作部７２および外部入力端子７４と接続されている。
操作部７２は、ユーザーが操作することでテレビジョン装置１０による放送の視聴にまつわる種々の操作や設定を行うためのものであり、例えば、選局用ボタン、音量調整用ボタン、入力切り換え用ボタンなどを含み、操作部７２は、例えば、カバー２２５６の外面箇所に設けられている。
外部入力端子７４は、ＤＶＤプレーヤーやビデオデッキなどの外部装置から供給される画像信号および音声信号を入力する端子であり、例えば、カバー２２５６の外面箇所に設けられている。
受信回路７００２は、制御回路７０１０からの指令に基づいて選局を行い、アンテナ７００１から受信したテレビジョン信号を復調して画像信号と音声信号に分離して出力する。
切り換え回路７００４は、受信回路７００２から供給される画像信号および音声信号と、前記外部装置から外部入力端子７４を介して供給される画像信号および音声信号とを切り換えて画像信号処理回路７００６および音声信号処理回路７００８に供給する。
画像信号処理回路７００６は、前記画像信号に対して必要な信号処理を行い、ディスプレイ装置１２を駆動するための駆動信号を生成し、ディスプレイ装置１２に供給する。
音声信号処理回路７００８は、前記音声信号に対して必要な信号処理および増幅処理を行なってオーディオ信号を生成しスピーカー５０に供給する。これによりスピーカー５０から音響が発生される。
リモコン受信回路７０１０は、テレビジョン装置１０とは別に設けられたリモコン送信機７６から送信される選局、音量調整、入力切り換えなど各種動作を指令する制御コマンドを無線信号（赤外線信号）によって受信し、その受信した制御コマンドを制御回路７０１２に供給する。
制御回路７０１２は、操作部７２の操作に基づいて、あるいは、リモコン受信回路７０１０から供給される前記制御コマンドに基づいて、受信回路７００２の選局制御、切り換え回路７００４の画像信号および音声信号の切り換え制御、画像信号処理回路７００６、音声信号処理回路７００８の制御などを行う。
【００１１】
スタンド２０は錘３０およびコイルばね３２を含んで構成されている。
図３（Ａ）は錘３０およびコイルばね３２部分の拡大図、（Ｂ）は（Ａ）のＡＡ線断面図である。
図４は基台２２の上部の拡大図である。
錘３０は基台２２で鉛直方向に移動可能に支持されている。
錘３０は図３、図４に示すように、複数の円柱状の錘体３００２で構成されている。
各錘体３００２の中央にはワイヤ挿通孔３００４が貫通形成され、各錘体３００２の外周部の２箇所には円弧状のガイド溝３００６が形成されている。
各錘体３００２は、上部２２５２の下端に位置する下壁２２５３から立設された２本のガイド軸２２１０が各ガイド溝３００６に係合することで鉛直方向に移動可能に支持されている。
【００１２】
図２に示すように、ワイヤ２８は、その一端が第２アーム２６の基端に取着され、その中間部が第１アーム２４に突設された滑車２４０２に掛装されて第１アーム２４に沿って基台２２に向かって延在し、図４に示すように、第１アーム２４の基部に設けられたガイド部材２４０４を介して向きが変更され、ガイド軸２２１０の側部の滑車２２１２、ガイド軸２２１０の上部の滑車２２１４に掛装されて滑車２２１４から下方に延在し、各錘体３００２のワイヤ挿通孔３００４を通り最も下位に位置する錘体３００２にワイヤ２８の他端が連結されている。
【００１３】
図３（Ａ）に示すように、コイルばね３２は、最も下位に位置する錘体３００２と下壁２２５３との間に設けられ、錘３０を下方に付勢している。
すなわち、図２（Ａ）に示すように、第２の上下揺動部３００において、ディスプレイ装置１２の重量と第２アーム２６の重量により生じる回転モーメントに、錘３０の重量およびコイルばね３２の弾性力により生じる回転モーメントをワイヤ２８を介して対抗させている。
【００１４】
図９は第２の上下揺動部３００の拡大斜視図、図１０は第２の上下揺動部３００の側面図、図１１は図１０のＢＢ線断面図である。
図９乃至図１１に示すように、第２の上下揺動部３００により第２アーム２６の基部が第１アーム２４の先端とに対して鉛直面内で上下に揺動可能に連結されている。
第２の上下揺動部３００は、第１アーム２４に対して第２アーム２６を揺動させた際にこの揺動された状態を摩擦力を用いて保持するように構成されている。
第２の上下揺動部３００は、第１アーム２４の先端にブラケット２４０２を介して取着された摩擦係数の大きい材料からなる摩擦板４００２と、第２アーム２６の基部寄りの箇所に設けられ摩擦板４００２を挟む２つの挟持板４００４と、それら挟持板４００４間の距離を調節するための雄ねじ部材４００６とで構成され、雄ねじ部材４００６の弛緩緊締により挟持板４００４による摩擦板４００２の締め付け力が調整され、すなわち挟持板４００４と摩擦板４００２の間に生じる摩擦力が調整され、第１アーム２４と第２アーム２６とが揺動された状態が保持されるように構成されている。なお、第２の上下揺動部３００は上述の構成に限定されず、従来公知の様々な構造が採用可能である。
【００１５】
図５は第１の上下揺動部２００の側面図、図６は図５のＣＣ線断面図、図７は図５のＤ矢視図、図８は図７のＥＥ線断面図である。
図６、図８に示すように、第１の上下揺動部２００により第１アーム２４の基部が上部２２５２に対して鉛直面内で上下に揺動可能に連結されている。
第１の上下揺動部２００は、ディスプレイ装置１２の重量と、第２アーム２６の重量と、第１アーム２４の重量により生じる回転モーメントに対抗する回転モーメントを生じさせるねじりばね４２を有し、また、基台２２に対して第１アーム２４が揺動された状態を摩擦力により保持するように構成されている。
すなわち、図４乃至図７に示すように、上部２２５２のフレーム２２５４に第１ブラケット２２７０と第２ブラケット２２７２とが対向して設けられ、それらブラケット２２７０、２２７２間に雄ねじ部材２２７４が挿通されている。
また、第１アーム２４の基端にブラケット２４１０を介して摩擦係数の大きい材料からなる筒状部材２４１２が取着されている。
図６に示すように、筒状部材２４１２は雄ねじ部材２２７４が挿通される内筒部２４１４と、内筒部２４１４の半径方向外側に有する外筒部２４１６とを有し、雄ねじ部材２２７４に回転可能に支持されている。
図６、図８に示すように、ねじりばね４２は、内筒部２４１４と外筒部２４１６との間の環状の空間に配設され、その一端４２０２が第１ブラケット２２７０に係止され、図８に点線で示すように、コイル部の弾性に抗して他端４２０４が筒状部材２４１２に係止されて配設され、したがって、ねじりばね４２の弾性力は雄ねじ部材２２７４の周方向において、上部２２５２のフレーム２２５４と第１アーム２４の基端とにわたって作用している。
また、第１の上下揺動部２００は、雄ねじ部材２２７４の弛緩緊締によりブラケット２２７０、２２７２間で筒状部材２４１２を締め付ける力が調整され、すなわちブラケット２２７０、２２７２と筒状部材２４１２の間に生じる摩擦力が調整され、基台に対して第１アーム２４が揺動された状態が保持されるように構成されている。なお、第１の上下揺動部２００は上述の構成に限定されず、従来公知の様々な構造が採用可能である。
【００１６】
図２（Ａ）に示すように、第３の上下揺動部４００によりディスプレイ装置１２が第２アーム２６の先端に対して鉛直面内で上下に揺動可能に連結されている。
図１３はディスプレイ装置１２の背面を示す斜視図、図１４（Ａ）は図１３のＡ矢視図、（Ｂ）は（Ａ）の拡大図である。
図１３、図１４に示すように、第３の上下揺動部４００は、ディスプレイ装置１２の背面に取着される第１の部材５４と、スタンド２００（第２アーム２６）の先端に取着され第１の部材５４に上下に揺動可能に連結される第２の部材５６とを含んで構成されている。
第３の上下揺動部４００は、第２アーム２６の先端に対してディスプレイ装置１２を揺動させた際にこの揺動された状態を摩擦力を用いて保持するように構成されている。
この第３の上下揺動部４００は、図１１に示す第２の上下揺動部３００と同様に、図１４（Ｂ）に示すように、一対の挟持板４００４Ａと、これら挟持板４００４Ａに挟まれる筒状の摩擦板４００２Ａと、一対の挟持板４００４Ａから摩擦板４００２Ａに挿通され、それら挟持板４００４Ａ間の距離を調節するための雄ねじ部材４００６Ａ（図１５参照）などを含んで構成され、雄ねじ部材４００６Ａの弛緩緊締により挟持板４００４Ａによる摩擦板４００２Ａの締め付け力が調整され、すなわち挟持板４００４Ａと摩擦板４００２Ａの間に生じる摩擦力が調整され、第２アーム２６に対してディスプレイ装置１２が上下に揺動された状態が保持されるように構成されている。
なお、一対の挟持板４００４Ａは第１の部材５４に設けられ、摩擦板４００２は第２の部材５６に設けられている。なお、第３の上下揺動部４００は上述の構成に限定されず、従来公知の様々な構造が採用可能である。
【００１７】
このようなスタンド２０の構成によれば、次のような作用効果が奏される。
図１２（Ａ）、（Ｂ）、（Ｃ）はスタンド２０の動作説明図である。
図１２に示すように、使用者は、把手５２を把持して、ディスプレイ装置１２が所望の位置や姿勢となるように移動させる。
このディスプレイ装置１２の移動に伴い、水平旋回部１００により下部２２０２に対して鉛直軸の回りに上部２２５２が回転し、第１の上下揺動部２００により上部２２５２に対して第１アーム２４が鉛直面内で揺動し、第２の上下揺動部３００により第１アーム２４に対して第２アーム２６が鉛直面内で揺動し、第３の上下揺動部４００により第２アーム２６に対してディスプレイ装置１２が鉛直面内で揺動する。
ディスプレイ装置１２が所望の位置や姿勢となったならば、ディスプレイ装置１２あるいは把手５２から手を離す。
手を離すと、第１乃至第３の上下揺動部２００、３００、４００、錘３０、コイルばね３２、ねじりばね４２により、ディスプレイ装置１２はその動かされた位置や姿勢でスタンド２０によって支持される。
【００１８】
すなわち、第１の上下揺動部２００において、ディスプレイ装置１２の重量と、第２アーム２６の重量と、第１アーム２４の重量により生じる回転モーメントに、ねじりばね４２の弾性力による回転モーメントが対抗している。
また、第２の上下揺動部３００において、ディスプレイ装置１２の重量と第２アーム２６の重量により生じる回転モーメントに、錘３０の重量およびコイルばね３２の弾性力により生じる回転モーメントが対抗している。
そして、第１の上下揺動部２００および第２の上下揺動部３００の双方によって、揺動された状態が摩擦力を用いて保持される。
したがって、重量の大きなディスプレイ装置１２を支える第１、第２アーム２４、２６を円滑に簡単に動かすことができ、使い勝手を向上させる上で有利となる。
【００１９】
なお、本実施の形態では、把手５２の操作でディスプレイ装置１２が前後方向および左右方向並びに上下方向に動くので、水平旋回部１００と、第１の上下揺動部２００と、第２の上下揺動部３００と、第３の上下揺動部４００と、錘３０と、コイルばね３２と、ねじばね４２とにより、前後左右上下移動部５００が構成されている。
【００２０】
図１５はスピーカー５０および把手５２の構成を示す分解斜視図、図１６（Ａ）はディスプレイ装置１２の正面図、（Ｂ）は（Ａ）のＡＡ線断面図である。
図１５、図１６に示すように、把手５２は第１の部材５４に取着され、把手５２は、ディスプレイ装置１２の下部中央から下方に延出して設けられている。
把手５２は、ディスプレイ装置１２の前方から見た状態でディスプレイ装置１２の輪郭の外側に位置した把手部分５２Ａを有している。
スピーカー５０はこの把手部分５２Ａに設けられている。
【００２１】
詳細に説明すると、図１５に示すように、把手５２は、把手本体６０と、前カバー６２と、後カバー６４とを含んで構成され、第１の部材５４の取り付け凹部５４０２に着脱可能に設けられている。
把手本体６０は、厚さと、厚さよりも大きな寸法の幅と、幅よりも大きな寸法の長さを有する縦長の板部６００２と、板部６００２の一端に設けられた枠状部６００４とを備え、板部６００２と枠状部６００４は一体に形成されている。
枠状部６００４がディスプレイ装置１２を移動させる際にユーザーにより把持される部分となり、したがって、把手本体６０は剛性を有する材料で形成され、例えば、硬質の合成樹脂や金属材料によって形成されている。
把手本体６０の他端には、第１の部材５４の取り付け凹部５４０２から突設されたピン５４０４を挿通させる挿通孔６００６が設けられている。
枠状部６００４を掴み易いように、枠状部６００４は下方に到るにつれて次第に前方に位置するように湾曲して形成されている。
【００２２】
把手本体６０の枠状部６００４寄りの箇所には、スピーカー５０を取り付けるための２つの窓６００８が上下に並んで設けられている。
本実施の形態では、スピーカー５０は２つ設けられ、スピーカー５０は把手本体６０の後面から窓６００８に臨んだ状態で把手本体６０に例えば接着剤によって接着されることで取り付けられている。
把手本体６０の板部６００２の後面に、スピーカー５０の後部を覆う後カバー６４が重ね合わされ、把手本体６０の板部６００２の前面に、スピーカー５０からの音声を通過させる放音孔が形成された前カバー６２が重ね合わされ、それら重ね合わされた状態で前カバー６２の前面が取り付け凹部５４０２の底面に当て付けられ、把手本体６０の挿通孔６００６にピン５４０４が挿通され、さらに、後カバー６４の左右両側の係合部６４０２が取り付け凹部５４０２の底面の左右両側の溝５４１０に結合することで把手５２は第１の部材５４に着脱可能に取り付けられている。
なお、図１６に示すように、把手５２が第１の部材５４に取り付けられた状態で、スピーカー５０は、ディスプレイパネル１２０２の輪郭の外側に位置している。
【００２３】
本実施の形態によれば、スピーカー５０は、ディスプレイ装置１２の姿勢を変更するための把手５２に設けられている。
一方、把手５２はディスプレイ装置１２の姿勢を変更した際に、ディスプレイ装置１２とともに移動し、ディスプレイ装置１２に対する把手５２の相対的位置は不変である。
したがって、この把手５２にスピーカー５０を設けたので、ディスプレイ装置１２の姿勢が変更された際、スピーカー５０から発せられる音響を常にディスプレイ装置１２（ディスプレイパネル１２０２）の前方に向けることが可能となり、テレビジョン装置１０を鑑賞する上で有利となる。
また、把手５２にスピーカー５０を設けたので、ディスプレイパネル１２０２の周囲のフレーム１２０４部分を小型化でき、言い換えると、ディスプレイパネル１２０２の前方から見て画像が表示されないフレーム１２０４部分の面積を小さくでき、したがって、スタンド２０によって姿勢変更可能に支持されたディスプレイ装置１２があたかも宙に浮いているかのような浮遊感をユーザーに与えることができ、デザイン性を向上させる上で有利となる。
また、把手５２にスピーカー５０を設けたので、ユーザーに対して、スピーカー５０の存在を感じさせることがなく、したがって、浮遊感をユーザーに与え、デザイン性を向上させる上でより一層有利となる。
したがって、従来とは異なった趣をテレビジョン装置１０に付加することができ、テレビジョン装置１０の購買力を高める上で有利となる。
また、スピーカー５０取り付け用の専用のブラケットを用いず、把手５２を利用してスピーカー５０を取り付けるようにしたので、部品点数の削減化、コストダウンを図る上で有利となる。
また、スピーカー５０をディスプレイ装置１２の輪郭の外側に位置する把手部分５２Ａに設けたので、ディスプレイ装置１２が障害とならず、スピーカー５０から発せられる音響の全てをディスプレイ装置１２の前方に向けることが可能となる。
【００２４】
（第２の実施の形態）
次に、第２の実施の形態について説明する。
第２の実施の形態が第１の実施の形態と異なるのは、把手５２のディスプレイ装置１２への取り付け箇所と把手５２の向きであり、その他の構成は第１の実施の形態と同様である。
図１８（Ａ）は第２の実施の形態におけるディスプレイ装置１２の正面図、（Ｂ）は（Ａ）のＡＡ線断面図であり、以下では第１の実施の形態と同様の部分、部材には同一の符号を付して説明する。
第１の実施の形態では、把手５２を第１の部材５４に下方に突出させて取り付けていたのに対して、第２の実施の形態では、把手５２をディスプレイパネル１２０２を保持するフレーム１２０４に上方に突出させて取り付けている。
すなわち、第２の実施の形態では、図１８に示すように、把手５２はフレーム１２０４の背面に直接取着され、把手５２は、ディスプレイ装置１２の上部中央から上方に延出して設けられている。
把手５２は、ディスプレイ装置１２の前方から見た状態でディスプレイ装置１２の輪郭の上側に位置した把手部分５２Ａを有し、スピーカー５０はこの把手部分５２Ａに設けられている。
把手５２の構成および取り付け構造は、第１の実施の形態と同様で、フレーム１２０４の背面に、第１の実施の形態と同様な、ピン５４０４、溝５４１０を備えた取り付け凹部５４０２が設けられ、把手５２は、把手本体６０と、前カバー６２と、後カバー６４とを含んで構成され、把手本体６０に２つのスピーカー５０が上下に並んで設けられており、第１の実施の形態と同様に、取り付け凹部５４０２に対して把手５２が着脱可能に取着される。
このような第２の実施の形態によっても第１の実施の形態と同様な効果が奏される。
【００２５】
なお、本実施の形態では、姿勢変更機構は、水平旋回部１００と、第１の上下揺動部２００と、第２の上下揺動部３００と、第３の上下揺動部４００と、前後左右上下移動部５００とを含んで構成されている場合について説明したが、姿勢変更機構はディスプレイ装置１２を上下に揺動可能に保持する上下揺動部のみで構成されていてもよく、あるいは、ディスプレイ装置１２を水平旋回可能に保持する水平旋回部のみで構成されていてもよく、あるいは、ディスプレイ装置１２を前後左右上下に移動可能に保持する前後左右上下移動部のみで構成されていてもよく、さらに、それら上下揺動部や水平旋回部、前後左右上下移動部を構成する姿勢変更機構には従来公知の様々な構造が採用可能である。
【図面の簡単な説明】
【００２６】
【図１】第１の実施の形態のテレビジョン装置１０の全体構成を示す斜視図である。
【図２】（Ａ）はテレビジョン装置１０の側面図、（Ｂ）はテレビジョン装置１０の背面図であり、何れもカバーを取り外した状態を示している。
【図３】（Ａ）は基台２２の要部の拡大図、（Ｂ）は（Ａ）のＡＡ線断面図である。
【図４】基台２２の上部の拡大図である。
【図５】第１アーム２４の基部の側面図である。
【図６】図５のＣＣ線断面図である。
【図７】図５のＤ矢視図である。
【図８】図７のＥＥ線断面図である。
【図９】第１アーム２４の先端と第２アーム２６の基部の連結部分の拡大斜視図である。
【図１０】第１アーム２４の先端と第２アーム２６の基部の連結部分の側面図である。
【図１１】図１０のＢＢ線断面図である。
【図１２】（Ａ）、（Ｂ）、（Ｃ）はスタンド２０の動作説明図である。
【図１３】ディスプレイ装置１２の背面を示す斜視図である。
【図１４】（Ａ）は図１３のＡ矢視図、（Ｂ）は（Ａ）の拡大図である。
【図１５】スピーカー５０および把手５２の構成を示す分解斜視図である。
【図１６】（Ａ）はディスプレイ装置１２の正面図、（Ｂ）は（Ａ）のＡＡ線断面図である。
【図１７】信号ボックス７０の構成を示すブロック図である。
【図１８】図１８（Ａ）は第２の実施の形態におけるディスプレイ装置１２の正面図、（Ｂ）は（Ａ）のＡＡ線断面図である。
【符号の説明】
【００２７】
１０……テレビジョン装置、１２……ディスプレイ装置、１２０２……ディスプレイパネル、２０……スタンド、５０……スピーカー、５２……把手。
【図１】
0004569774.tif 000002
【図２】
0004569774.tif 000003
【図３】
0004569774.tif 000004
【図４】
0004569774.tif 000005
【図５】
0004569774.tif 000006
【図６】
0004569774.tif 000007
【図７】
0004569774.tif 000008
【図８】
0004569774.tif 000009
【図９】
0004569774.tif 000010
【図１０】
0004569774.tif 000011
【図１１】
0004569774.tif 000012
【図１２】
0004569774.tif 000013
【図１３】
0004569774.tif 000014
【図１４】
0004569774.tif 000015
【図１５】
0004569774.tif 000016
【図１６】
0004569774.tif 000017
【図１７】
0004569774.tif 000018
【図１８】
0004569774.tif 000019